(57)【要約】  本開示の態様は、動的なアップリンク−ダウンリンクサブフレーム構成をサポートするシステムにおいてアップリンクリソース割振りの決定を可能にするのに役立ち得る技法に関する。例となる方法は一般に、動的なアップリンク−ダウンリンク（ＵＬ−ＤＬ）サブフレーム構成を示すシグナリングを受信することと、基準のＵＬ−ＤＬサブフレーム構成に基づいて、ハイブリッド自動再送要求（ＨＡＲＱ）肯定応答／否定応答（ＡＣＫ／ＮＡＣＫ）タイミングを決定することと、動的なＵＬ−ＤＬサブフレーム構成に基づいて、ＨＡＲＱリソース割振りを決定することとを含む。【選択図】図１１
2016530817.tif 000002
【特許請求の範囲】
【請求項１】
ユーザ機器（ＵＥ）によるワイヤレス通信のための方法であって、
動的なアップリンク−ダウンリンク（ＵＬ−ＤＬ）サブフレーム構成を示すシグナリングを受信することと、
基準のＵＬ−ＤＬサブフレーム構成に基づいて、ハイブリッド自動再送要求（ＨＡＲＱ）肯定応答／否定応答（ＡＣＫ／ＮＡＣＫ）タイミングを決定することと、
前記動的なＵＬ−ＤＬサブフレーム構成に基づいて、ＨＡＲＱリソース割振りを決定することと
を備える方法。
【請求項２】
前記基準のＵＬ−ＤＬサブフレーム構成に基づいて、ＨＡＲＱ ＡＣＫ／ＮＡＣＫタイミングを決定することは、前記基準のＵＬ−ＤＬサブフレーム構成に基づいて、ＨＡＲＱ ＡＣＫ／ＮＡＣＫを送信するためのサブフレームを決定することを備える、請求項１に記載の方法。
【請求項３】
前記動的なＵＬ−ＤＬサブフレーム構成に基づいて、ＨＡＲＱリソース割振りを決定することは、前記動的なＵＬ−ＤＬサブフレーム構成に基づいて、ＨＡＲＱ−ＡＣＫコードブックサイズを決定することを備える、請求項１に記載の方法。
【請求項４】
コードブックサイズ、またはＡＣＫ／ＮＡＣＫビットの数、のうちの少なくとも１つは、前記動的なＵＬ−ＤＬサブフレーム構成のＤＬアソシエーションセットのサイズに基づいて決定される、請求項３に記載の方法。
【請求項５】
前記動的なＵＬ−ＤＬサブフレーム構成に基づいて、ＨＡＲＱリソース割振りを決定することは、前記動的なＵＬ−ＤＬサブフレーム構成に基づいて、物理アップリンク制御チャネル（ＰＵＣＣＨ）リソース割振りを決定することを備える、請求項１に記載の方法。
【請求項６】
前記物理アップリンク制御チャネル（ＰＵＣＣＨ）リソース割振りは、前記動的なＵＬ−ＤＬサブフレーム構成のＤＬアソシエーションセットのサイズに基づいて決定される、請求項５に記載の方法。
【請求項７】
前記動的なＵＬ−ＤＬ構成においてＤＬとして構成されていないバンドリングセット内のフレキシブルなサブフレームは、前記ＤＬアソシエーションセットの前記サイズを決定する際にカウントされない、請求項６に記載の方法。
【請求項８】
ＵＬサブフレームを除去することによって、前記バンドリングセット内の残りのＤＬサブフレームのパッキング順序を決定することをさらに備える、請求項７に記載の方法。
【請求項９】
固定のＤＬサブフレームは、前記残りのＤＬサブフレームの前記パッキング順序で最初にマッピングされる、請求項８に記載の方法。
【請求項１０】
別個のＰＵＣＣＨ領域が、動的なＵＬ−ＤＬサブフレーム構成をサポートすることができるＵＥと、動的なＵＬ−ＤＬサブフレーム構成をサポートすることができないレガシＵＥとに対して構成される、請求項５に記載の方法。
【請求項１１】
レガシＵＥ ＰＵＣＣＨ領域との潜在的な衝突が存在するかどうかを決定することをさらに備える、請求項１０に記載の方法。
【請求項１２】
潜在的な衝突が検出されない場合、前記レガシＰＵＣＣＨ領域を使用すること
をさらに備える、請求項１１に記載の方法。
【請求項１３】
潜在的な衝突が検出されない場合、第１のオフセット値を選択することと、
潜在的な衝突が検出される場合、第２のオフセット値を選択することと
をさらに備える、請求項１１に記載の方法。
【請求項１４】
前記ＰＵＣＣＨリソース割振りは、動的なシグナリングに少なくとも部分的に基づいて決定される、請求項５に記載の方法。
【請求項１５】
前記動的なシグナリングは、
伝送電力制御（ＴＰＣ）コマンドに使用されるダウンリンク制御情報（ＤＣＩ）フォーマット中の１つまたは複数のビット、または
１つまたは複数の確認応答リソースオフセット（ＡＲＯ）ビット
のうちの少なくとも１つを介して伝達される、請求項１４に記載の方法。
【請求項１６】
欠落した動的なＵＬ−ＤＬサブフレーム構成を検出することと、
前記検出に応答して、システム情報ブロック（ＳＩＢ）においてシグナリングされるＵＬ−ＤＬサブフレーム構成に基づいて、ＨＡＲＱリソース割振りを決定することと
をさらに備える、請求項１に記載の方法。
【請求項１７】
基地局（ＢＳ）によるワイヤレス通信のための方法であって、
動的なアップリンク−ダウンリンク（ＵＬ−ＤＬ）サブフレーム構成を示すシグナリングをユーザ機器（ＵＥ）に送信することと、
基準のＵＬ−ＤＬサブフレーム構成に基づいて、前記ＵＥに対するハイブリッド自動再送要求（ＨＡＲＱ）肯定応答／否定応答（ＡＣＫ／ＮＡＣＫ）タイミングを決定することと、
前記動的なＵＬ−ＤＬサブフレーム構成に基づいて、前記ＵＥに対するＨＡＲＱリソース割振りを決定することと
を備える方法。
【請求項１８】
前記基準のＵＬ−ＤＬサブフレーム構成に基づいて、ＨＡＲＱ ＡＣＫ／ＮＡＣＫタイミングを決定することは、前記基準のＵＬ−ＤＬサブフレーム構成に基づいて、ＨＡＲＱ ＡＣＫ／ＮＡＣＫを送信するためのサブフレームを決定することを備える、請求項１７に記載の方法。
【請求項１９】
前記動的なＵＬ−ＤＬサブフレーム構成に基づいて、ＨＡＲＱリソース割振りを決定することは、前記動的なＵＬ−ＤＬサブフレーム構成に基づいて、ＨＡＲＱ−ＡＣＫコードブックサイズを決定することを備える、請求項１７に記載の方法。
【請求項２０】
コードブックサイズ、またはＡＣＫ／ＮＡＣＫビットの数、のうちの少なくとも１つは、前記動的なＵＬ−ＤＬサブフレーム構成のＤＬアソシエーションセットのサイズに基づいて決定される、請求項１９に記載の方法。
【請求項２１】
前記動的なＵＬ−ＤＬサブフレーム構成に基づいて、ＨＡＲＱリソース割振りを決定することは、前記動的なＵＬ−ＤＬサブフレーム構成に基づいて、物理アップリンク制御チャネル（ＰＵＣＣＨ）リソース割振りを決定することを備える、請求項１７に記載の方法。
【請求項２２】
前記物理アップリンク制御チャネル（ＰＵＣＣＨ）リソース割振りは、前記動的なＵＬ−ＤＬサブフレーム構成のＤＬアソシエーションセットのサイズに基づいて決定される、請求項２１に記載の方法。
【請求項２３】
別個のＰＵＣＣＨ領域が、動的なＵＬ−ＤＬサブフレーム構成をサポートすることができるＵＥと、動的なＵＬ−ＤＬサブフレーム構成をサポートすることができないレガシＵＥとに対して構成される、請求項２１に記載の方法。
【請求項２４】
レガシＵＥ ＰＵＣＣＨ領域との潜在的な衝突が存在するかどうかを決定することをさらに備える、請求項２３に記載の方法。
【請求項２５】
前記レガシＰＵＣＣＨ領域は、潜在的な衝突が検出さない場合、レガシＵＥと、動的なＵＬ−ＤＬサブフレーム構成をサポートすることができるＵＥとの両方に使用される、請求項２４に記載の方法。
【請求項２６】
潜在的な衝突が検出されない場合、ＰＵＣＣＨ領域への第１のオフセット値を選択することと、
潜在的な衝突が検出される場合、ＰＵＣＣＨ領域への第２のオフセット値を選択することと
をさらに備える、請求項２４に記載の方法。
【請求項２７】
前記ＰＵＣＣＨリソース割振りを決定する際に前記ＵＥが使用するための動的なシグナリングを提供することをさらに備える、請求項２１に記載の方法。
【請求項２８】
前記動的なシグナリングは、
伝送電力制御（ＴＰＣ）コマンドに使用されるダウンリンク制御情報（ＤＣＩ）フォーマット中の１つまたは複数のビット、または
１つまたは複数の確認応答リソースオフセット（ＡＲＯ）ビット
のうちの少なくとも１つを介して伝達される、請求項２５に記載の方法。
【請求項２９】
ユーザ機器（ＵＥ）によるワイヤレス通信のための装置であって、
動的なアップリンク−ダウンリンク（ＵＬ−ＤＬ）サブフレーム構成を示すシグナリングを受信するための手段と、
基準のＵＬ−ＤＬサブフレーム構成に基づいて、ハイブリッド自動再送要求（ＨＡＲＱ）肯定応答／否定応答（ＡＣＫ／ＮＡＣＫ）タイミングを決定するための手段と、
前記動的なＵＬ−ＤＬサブフレーム構成に基づいて、ＨＡＲＱリソース割振りを決定するための手段と
を備える装置。
【請求項３０】
基地局（ＢＳ）によるワイヤレス通信のための装置であって、
動的なＵＬ−ＤＬサブフレーム構成を示すシグナリングをユーザ機器（ＵＥ）に送信するための手段と、
基準のＵＬ−ＤＬサブフレーム構成に基づいて、前記ＵＥに対するハイブリッド自動再送要求（ＨＡＲＱ）肯定応答／否定応答（ＡＣＫ／ＮＡＣＫ）タイミングを決定するための手段と、
前記動的なＵＬ−ＤＬサブフレーム構成に基づいて、前記ＵＥに対するＨＡＲＱリソース割振りを決定するための手段と
を備える装置。
【発明の詳細な説明】
【関連出願への相互参照】
【０００１】
[0001]  本願は、本願の譲受人に譲渡される、２０１３年８月２１日に出願された「PUCCH Resource Mapping and HARQ-ACK Feedback」と題するＰＣＴ出願番号ＰＣＴ／ＣＮ２０１３／０８１９６１号の利益を主張し、その内容は、参照によって本明細書に組み込まれる。
【技術分野】
【０００２】
[0002]  本開示のある特定の態様は一般に、ワイヤレス通信に関し、より具体的には、動的なサブフレーム構成を利用するシステムにおけるリソース割振りのための技法に関する。
【背景技術】
【０００３】
[0003]  ワイヤレス通信システムは、音声、データ、等の、様々なタイプの通信コンテンツをワイヤレスデバイスに提供するために広く展開されている。これらシステムは、利用可能なシステムリソース（例えば、帯域幅および伝送電力）を共有することによって複数のユーザとの同時通信をサポートすることができる多元接続システムであり得る。このような多元接続システムの例には、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ（登録商標））システム、および直交周波数分割多元接続（ＯＦＤＭＡ）システムが含まれる。
【０００４】
[0004]  一般に、ワイヤレス多元接続通信システムは、複数のワイヤレス端末との通信を同時にサポートすることができる。各端末は、順方向リンクおよび逆方向リンク上の送信を介して、１つまたは複数の基地局と通信する。順方向リンク（すなわち、ダウンリンク）は、基地局からワイヤレス端末への通信リンクを指し、逆方向リンク（すなわち、アップリンク）は、ワイヤレス端末から基地局への通信リンクを指す。この通信リンクは、単一入力単一出力、多入力単一出力、または多入力多出力（ＭＩＭＯ）システムを介して確立され得る。
【発明の概要】
【０００５】
[0005]  本開示のある特定の態様は、ユーザ機器（以降、「ＵＥ」）によるワイヤレス通信のための方法を提供する。本方法は一般に、動的なアップリンク−ダウンリンク（以降、「ＵＬ−ＤＬ」）サブフレーム構成を示すシグナリングを受信することと、基準のＵＬ−ＤＬサブフレーム構成に基づいて、ハイブリッド自動再送要求（以降、「ＨＡＲＱ」）肯定応答／否定応答（acknowledgement/negative acknowledgement）（以降、「ＡＣＫ／ＮＡＣＫ」）タイミングを決定することと、動的なＵＬ−ＤＬサブフレーム構成に基づいて、ＨＡＲＱリソース割振りを決定することとを含む。
【０００６】
[0006]  本開示のある特定の態様は、基地局（以降、「ＢＳ」）によるワイヤレス通信のための方法を提供する。本方法は一般に、動的なＵＬ−ＤＬサブフレーム構成を示すシグナリングをＵＥに送信することと、基準のＵＬ−ＤＬサブフレーム構成に基づいて、ＵＥに対するＨＡＲＱ ＡＣＫ／ＮＡＣＫタイミングを決定することと、動的なＵＬ−ＤＬサブフレーム構成に基づいて、ＵＥに対するＨＡＲＱリソース割振りを決定することとを含む。
【０００７】
[0007]  本開示のある特定の態様はまた、上述された方法の動作を行うための様々な装置およびプログラム製品を提供する。
【図面の簡単な説明】
【０００８】
[0008]  本開示の上記特徴が詳細に理解されることができるように、上記で簡潔に要約されたより具体的な説明は、いくつかの態様への参照によって行われ得、そのうちのいくつかが添付の図面において例示されている。しかしながら、添付の図面は、本開示のある特定の典型的な態様を例示しているにすぎず、したがって、その範囲を限定するものと考えられるべきではないことに留意されるべきである。というのも、この説明は、同様に効果的な他の態様にも通じ得るためである。
【図１】図１は、本開示の態様に係る、多元接続ワイヤレス通信システムを例示する。
【図２】図２は、本開示の態様に係る、通信システムのブロック図である。
【図３】図３は、本開示の態様に係る、例となるフレーム構造を例示する。
【図４】図４は、本開示の態様に係る、例となるサブフレームリソース要素マッピングを例示する。
【図５】図５は、サブフレーム構成の例となるセットと、例となるスペシャルサブフレーム（special subframe）フォーマットとを例示しており、それを用いて、本開示の態様が実施され得る。
【図６】図６は、本開示の態様に係る、基準のサブフレーム構成の例となる使用を例示する。
【図７】図７は、本開示の態様に係る、例となるダウンリンクアソシエーションセット（downlink association sets）を例示する。
【図８】図８は、本開示の態様に係る、例となるアップリンク制御チャネルリソース割振りを例示する。
【図９Ａ】図９Ａは、本開示の態様に係る、異なるＵＥのアップリンクリソース間の例となる衝突（collisions）を例示する。
【図９Ｂ】図９Ｂは、本開示の態様に係る、異なるＵＥのアップリンクリソース間の例となる衝突を例示する。
【図１０】図１０は、本開示の態様に係る、本開示の態様にしたがって、例となるダウンリンクアソシエートセット（an example downlink associate sets）を例示する。
【図１１】図１１は、本開示の態様に係る、ユーザ機器（ＵＥ）によって行われ得る例となる動作を例示する。
【図１２】図１２は、本開示の態様に係る、基地局によって行われ得る例となる動作を例示する。
【発明の詳細な説明】
【０００９】
[0021]  エンハンスド干渉緩和およびトラフィック適応（Enhanced interference mitigation and traffic adaptation）（以降、「ｅＩＭＴＡ」）は、実際のトラフィックニーズに基づいたＵＬ−ＤＬサブフレーム構成の動的な適応を可能にする。ｅＩＭＴＡに対して基準の構成を使用することは、リソース割振りの非効率性と、レガシＵＥおよびｅＩＭＴＡ ＵＥによる使用のために割り当てられるリソース間の衝突とを引き起こし得る。本開示の態様は、ＵＥによって決定される、基準のＵＬ−ＤＬサブフレーム構成と動的なＵＬ−ＤＬサブフレーム構成とのハイブリッド設計と考えられ得るものを提供し、これは、リソース割振りの非効率性と、レガシＵＥおよびｅＩＭＴＡ ＵＥによる使用のために割り当てられるリソース間の衝突との低減を可能にし得る。
【００１０】
[0022]  本明細書で提供されるある特定の態様によれば、ＵＥは、動的なＵＬ−ＤＬサブフレーム構成がサポートされるシステムにおいてアップリンクリソース割振りを決定することができる。
【００１１】
[0023]  添付の図面に関連して以下に示される詳細な説明は、様々な構成の説明を目的としており、本明細書で説明される態様が実施され得る唯一の構成を表すことを目的としたものではない。詳細な説明は、本明細書で示される様々な態様の完全な理解を提供するために特定の詳細を含む。しかしながら、これらの概念がこれらの特定の詳細なしに実施され得ることは当業者には明らかであろう。いくつかの事例では、そのような態様を曖昧にしないために、周知の構造および構成要素が、ブロック図の形式で示される。
【００１２】
[0024]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク、等の、様々なワイヤレス通信ネットワークに対して使用され得る。「ネットワーク」および「システム」という用語は交換して使用されることが多い。ＣＤＭＡネットワークは、ユニバーサル地上無線アクセス（ＵＴＲＡ）、ＣＤＭＡ２０００、等の無線技術を実装し得る。ＵＴＲＡは、広帯域ＣＤＭＡ（Ｗ−ＣＤＭＡ（登録商標））および低チップレート（ＬＣＲ）プロトコルを含む。ＣＤＭＡ２０００は、ＩＳ−２０００、ＩＳ−９５、およびＩＳ−８５６規格を含む。ＴＤＭＡネットワークは、移動通信のためのグローバルシステム（Global System for Mobile Communications）（ＧＳＭ（登録商標））のような無線技術を実装し得る。ＯＦＤＭＡネットワークは、次世代ＵＴＲＡ（Ｅ−ＵＴＲＡ）、ＩＥＥＥ８０２.１１、ＩＥＥＥ８０２.１６、ＩＥＥＥ８０２.２０、フラッシュＯＦＤＭ（登録商標）、等の無線技術を実装し得る。ＵＴＲＡ、Ｅ−ＵＴＲＡ、およびＧＳＭは、ユニバーサル移動通信システム（ＵＭＴＳ）の一部である。ロングタームエボリューション（ＬＴＥ）は、Ｅ−ＵＴＲＡを使用するＵＭＴＳの最新の（upcoming）リリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）という名称の団体からの文書に説明されている。ｃｄｍａ２０００は、「第３世代パートナーシッププロジェクト２（３ＧＰＰ２）」という名称の団体からの文書に説明されている。これらの様々な無線技術および規格は当該技術分野で知られている。明瞭さのために、本技法のある特定の態様は、ＬＴＥに関して以下に説明され、ＬＴＥ用語が、以下の説明の大部分で使用され得る。
【００１３】
[0025]  単一キャリアの変調および周波数ドメイン等化（single carrier modulation and frequency domain equalization）を利用する単一キャリア周波数分割多元接続（ＳＣ−ＦＤＭＡ）は、多元接続通信を可能にする技法である。ＳＣ−ＦＤＭＡは、ＯＦＤＭＡシステムのものと同様の性能および根本的に同一の全体的な複雑さを有する。ＳＣ−ＦＤＭＡ信号は、それ固有の単一キャリア構造のため、より低いピーク対平均電力比（ＰＡＰＲ）を有する。ＳＣ−ＦＤＭＡは、特に、より低いＰＡＰＲが伝送電力効率の観点でモバイル端末に大いに利益をもたらすアップリンク通信において、大きな注目を集めている。これは現在、３ＧＰＰロングタームエボリューション（ＬＴＥ）または次世代ＵＴＲＡにおけるアップリンク多元接続スキームでの使用についての作業仮説（working assumption）である。
【００１４】
[0026]  図１は、本開示の態様が実施され得る例となる多元接続ワイヤレス通信システムを例示する。例えば、ＢＳ１００は、基準のＵＬ−ＤＬサブフレーム構成と動的なＵＬ−ＤＬサブフレーム構成とのハイブリッド設計を使用して、接続されたアクセス端末に対するＨＡＲＱ ＡＣＫ／ＮＡＣＫタイミングおよびＨＡＲＱリソース割振り、および／または、本明細書で説明される技法のための他のプロセスを決定するために、図１２の動作１２００を行うまたは指揮するように構成され得る。同様に、ＵＥ１１６および１２２は、基準のＵＬ−ＤＬサブフレーム構成と動的なＵＬ−ＤＬサブフレーム構成とのハイブリッド設計を使用して、ＵＥに対するＨＡＲＱ ＡＣＫ／ＮＡＣＫタイミングおよびＨＡＲＱリソース割振り、および／または、本明細書で説明される技法のための他のプロセスを決定するために、図１１の動作１１００を行うまたは指揮するように構成され得る。
【００１５】
[0027]  示されるように、ＢＳ１００は、複数のアンテナグループを含み、１つのグループはアンテナ１０４および１０６を含み、別の１つのグループはアンテナ１０８および１１０を含み、さらなる１つのグループはアンテナ１１２および１１４を含み得る。図１では、各アンテナグループに対して２つのアンテナだけが示されているが、より多くの数のアンテナまたはより少ない数のアンテナが各アンテナグループに利用され得る。ＵＥ１１６はアンテナ１１２および１１４と通信状態にあるものと示されており、ここで、アンテナ１１２および１１４は、順方向リンク１２０を通してアクセス端末１１６に情報を送信し、逆方向リンク１１８を通してアクセス端末１１６から情報を受信する。ＵＥ１２２はアンテナ１０６および１０８と通信状態にあるものと示されており、ここで、アンテナ１０６および１０８は、順方向リンク１２６を通してアクセス端末１２２に情報を送信し、逆方向リンク１２４を通してアクセス端末１２２から情報を受信する。ＦＤＤシステムでは、通信リンク１１８、１２０、１２４、および１２６は、ＵＥとの通信のために異なる周波数を使用し得る。例えば、順方向リンク１２０は、ＵＥと通信するために逆方向リンク１１８によって使用されるものとは異なる周波数を使用してその同じＵＥと通信し得る。
【００１６】
[0028]  各アンテナグループおよび／またはそれらが通信するように設計されるエリアは、アクセスポイントのセクタと呼ばれることが多い。この実施形態では、アンテナグループは各々、アクセスポイント１００によってカバーされているエリアのセクタにおいてＡＴに通信するように設計される。
【００１７】
[0029]  順方向リンク１２０および１２６を通してＵＥ１１６または１２２と通信状態にあるとき、ＢＳ１００の送信側アンテナは、異なるアクセス端末１１６および１２２との通信のための順方向リンクの信号対雑音比を改善するためにビームフォーミングを利用する。また、ＢＳのカバレッジエリア全体にわたってランダムに分散されたアクセス端末に信号を送信するためにビームフォーミングを使用するＢＳは、単一のアンテナを通じてすべてのそれのアクセス端末に送信するＢＳよりも、隣接セル内のＵＥに対して引き起こす干渉が少ない。
【００１８】
[0030]  本明細書で使用される場合、ＢＳという用語は概して、端末との通信に使用される固定またはモバイルの局を指し、それは、アクセスポイント、ノードＢ、発展型ノードＢ（ｅＮＢ）、または何らかの他の用語でも呼ばれ得る。ＵＥは、アクセス端末、ワイヤレス通信デバイス、端末、モバイル局、または何らかの他の用語でも呼ばれ得る。
【００１９】
[0031]  図２は、ＭＩＭＯシステム２００における、送信機システム２１０のようなＢＳ、および受信機システム２５０のようなＵＥの実施形態のブロック図である。送信機システム２１０において、多数の（a number of）データストリームに関するトラフィックデータが、データソース２１２から送信（ＴＸ）データプロセッサ２１４に供給される。
【００２０】
[0032]  ある態様では、各データストリームは、それぞれの送信アンテナを通して送信される。ＴＸデータプロセッサ２１４は、各データストリームに関するトラフィックデータを、そのデータストリームに対して選択された特定のコーディングスキームを使用して、フォーマット、コーディング、およびインターリーブし、コーディングされたデータを供給する。
【００２１】
[0033]  各データストリームに関するコーディングされたデータは、ＯＦＤＭ技術を使用してパイロットデータと多重化され得る。パイロットデータは典型的に、既知の方法で処理される既知のデータパターンであり、チャネル応答を推定するために受信機システム２５０で使用され得る。次に、各データストリームに関する多重化されたパイロットおよびコーディングされたデータは、そのデータストリームに対して選択された特定の変調スキーム（例えば、ＢＰＳＫ、ＱＰＳＫ、Ｍ−ＰＳＫ、または、Ｍ−ＱＡＭ）に基づいて変調（すなわち、シンボルマッピング）され、変調シンボルが供給される。各データストリームに関するデータレート、コーディング、および変調は、メモリ２３２に記憶されている命令によって決定され得、それらデータストリームに関する決定されたデータレート、コーディング、および変調に基づいた変調シンボルの生成は、プロセッサ２３０によって行われ得る。
【００２２】
[0034]  次に、すべてのデータストリームに関する変調シンボルが、（例えば、ＯＦＤＭのために）この変調シンボルをさらに処理し得るＴＸ ＭＩＭＯプロセッサ２２０に供給される。次に、ＴＸ ＭＩＭＯプロセッサ２２０は、ＮＴ個の変調シンボルストリームをＮＴ個の送信機（ＴＭＴＲ）２２２ａ〜２２２ｔに提供する。ある特定の実施形態では、ＴＸ ＭＩＭＯプロセッサ２２０は、ビームフォーミング重みを、データストリームのシンボルと、そのシンボルが送信されているアンテナとに適用する。
【００２３】
[0035]  各送信機２２２は、それぞれのシンボルストリームを受信および処理して、１つまたは複数のアナログ信号を供給し、これらのアナログ信号をさらに調整（例えば、増幅、フィルタリング、およびアップコンバート）して、ＭＩＭＯチャネルを通した送信に適した変調信号を供給する。次に、送信機２２２ａ〜２２２ｔからのＮＴ個の変調信号は、それぞれＮＴ個のアンテナ２２４ａ〜２２４ｔから送信される。
【００２４】
[0036]  受信機システム２５０において、送信された変調信号は、ＮＲ個のアンテナ２５２ａ〜２５２ｒによって受信され、各アンテナ２５２からの受信された信号は、それぞれの受信機（ＲＣＶＲ）２５４ａ〜２５４ｒに供給される。各受信機２５４は、それぞれの受信された信号を調整（例えば、フィルタリング、増幅、およびダウンコンバート）し、調整された信号をデジタル化してサンプルを供給し、これらサンプルをさらに処理して、対応する「受信された」シンボルストリームを供給する。
【００２５】
[0037]  次に、ＲＸデータプロセッサ２６０は、ＮＲ個の受信機２５４からＮＲ個の受信されたシンボルストリームを受信し、それらを特定の受信機処理技法に基づいて処理して、ＮＴ個の「検出された」シンボルストリームを供給する。次に、ＲＸデータプロセッサ２６０は、検出された各シンボルストリームを復調、デインターリーブ、復号して、データストリームに関するトラフィックデータを復元する。ＲＸデータプロセッサ２６０による処理は、送信機システム２１０におけるＴＸ ＭＩＭＯプロセッサ２２０およびＴＸデータプロセッサ２１４によって行われるものと補完的（complementary）である。
【００２６】
[0038]  プロセッサ２７０は、どのプリコーディングマトリクスを使用するかを周期的に決定する。プロセッサ２７０は、マトリクスインデックス部分とランク値部分とを備えた逆方向リンクメッセージを作成する（formulate）。
【００２７】
[0039]  逆方向リンクメッセージは、通信リンクおよび／または受信されたデータストリームに関する様々なタイプの情報を備え得る。ＴＸデータプロセッサ２３８は、逆方向リンクメッセージ（および、データソース２３６からの多数のデータストリームに関する他のトラフィックデータ）を処理し得る。処理された逆方向リンクメッセージは、変調器２８０によって変調され、送信機２５４ａ〜２５４ｒによって調整され、送信機システム２１０に送信され戻され得る。
【００２８】
[0040]  送信機システム２１０において、受信機システム２５０から受信された変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。次に、プロセッサ２３０は、受信機システム２５０との通信のために使用すべきビームフォーミング重みを決定するためにどのプリコーディングマトリクスを使用するかを決定し、次に、抽出されたメッセージを処理する。
【００２９】
[0041]  複数の態様によれば、コントローラ／プロセッサ２３０および２７０は、本明細書で説明される様々な技法を行うために、それぞれ送信機システム２１０および／または受信機システム２５０での動作を指揮し得る。例えば、コントローラ／プロセッサ２３０、ＴＸデータプロセッサ２１４、および／または、送信機システム２１０における他のプロセッサおよびモジュールは、基準のＵＬ−ＤＬサブフレーム構成および動的なＵＬ−ＤＬサブフレーム構成のハイブリッド設計を使用して、接続された受信機システム２５０に対するＨＡＲＱ ＡＣＫ／ＮＡＣＫタイミングおよびＨＡＲＱリソース割振り、および／または、本明細書で説明される技法のための他のプロセスを決定するために、図１２の動作１２００を行うかまたは指揮し得る。別の態様によれば、コントローラ／プロセッサ２７０、ＲＸデータプロセッサ２６０、および／または、受信機システム２５０における他のプロセッサおよびモジュールは、基準のＵＬ−ＤＬサブフレーム構成および動的なＵＬ−ＤＬサブフレーム構成のハイブリッド設計を使用して、受信機システム２５０に対するＨＡＲＱ ＡＣＫ／ＮＡＣＫタイミングおよびＨＡＲＱリソース割振り、および／または、本明細書で説明される技法のための他のプロセスを決定するために、図１１の動作１１００を行うかまたは指揮し得る。しかしながら、図２の任意の他のプロセッサまたは構成要素は、図１１の動作１１００、図１２の動作１２００、および／または本明細書で説明された技法のための他のプロセスを行うかまたは指揮し得る。メモリ２３２および２７２は、それぞれ送信機システム２１０および受信機システム２５０のためのデータおよびプログラムコードを記憶し得る。
【００３０】
[0042]  ある態様では、論理チャネルは、制御チャネルとトラフィックチャネルとに分類される。論理制御チャネルは、ブロードキャスト制御チャネル（ＢＣＣＨ）を備え、これは、システム制御情報をブロードキャストするためＤＬチャネルである。ページング制御チャネル（ＰＣＣＨ）は、ページング情報を転送するＤＬチャネルである。マルチキャスト制御チャネル（ＭＣＣＨ）は、１つまたはいくつかのＭＴＣＨのためのマルチメディアブロードキャストおよびマルチキャストサービス（Multimedia Broadcast and Multicast Service）（ＭＢＭＳ）スケジューリングおよび制御情報を送信するために使用されるポイント・ツー・マルチポイントＤＬチャネル（a point-to-multipoint DL channel）である。一般に、無線リソース制御（以降、「ＲＲＣ」）接続を確立した後、このチャネルは、ＭＢＭＳを受信するＵＥによってのみ使用される（すなわち、かつてのＭＣＣＨ＋ＭＳＣＨ）。専用制御チャネル（ＤＣＣＨ）は、ＲＲＣ接続を有するＵＥによって使用される専用制御情報を送信するポイント・ツー・ポイント双方向チャネルである。ある態様では、論理トラフィックチャネルは、専用トラフィックチャネル（ＤＴＣＨ）を備え、これは、ユーザ情報の転送のための、１つのＵＥに専用のポイント・ツー・ポイント双方向チャネル（a point-to-point bi-directional channel）である。また、マルチキャスト・トラフィックチャネル（ＭＴＣＨ）は、トラフィックデータを送信するためのポイント・ツー・マルチポイントＤＬチャネルである。
【００３１】
[0043]  ある態様では、トランスポートチャネルは、ＤＬおよびＵＬへと分類される。ＤＬトランスポートチャネルは、セル全体を通してブロードキャストされ、他の制御／トラフィックチャネルに使用され得るＰＨＹリソースにマッピングされる、ブロードキャストチャネル（ＢＣＨ）、ダウンリンク共有データチャネル（ＤＬ−ＳＤＣＨ）、およびページングチャネル（ＰＣＨ）を備え、このＰＣＨは、ＵＥ電力節約をサポートするためのものである（ＤＲＸサイクルが、ＵＥにネットワークによって示される）。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルおよびＵＬチャネルのセットを備える。
【００３２】
[0044]  ＤＬ ＰＨＹチャネルは、以下を備える：
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
確認応答チャネル（ＡＣＫＣＨ：Acknowledgement Channel）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
【００３３】
[0045]  ＵＬ ＰＨＹチャネルは以下を備える：      
物理ランダムアクセスチャネル（ＰＲＡＣＨ）
チャネル品質インジケータチャネル（ＣＱＩＣＨ）
確認応答チャネル（ＡＣＫＣＨ）
アンテナサブセット・インジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンド・パイロットチャネル（ＢＰＩＣＨ）
【００３４】
[0046]  ある態様では、単一のキャリア波形の低いＰＡＲ（いつでも、チャネルは、周波数的に連続的であるかまたは均一に離間している）特性を保つチャネル構造が提供される。
【００３５】
[0047]  本文書の目的上、以下の略語が適用される：
ＡＭ（Acknowledged Mode）：確認モード
ＡＭＤ：確認モードデータ
ＡＲＱ：自動再送要求
ＢＣＣＨ：ブロードキャスト制御チャネル
ＢＣＨ：ブロードキャストチャネル
Ｃ−：制御−
ＣＣＣＨ：共通制御チャネル
ＣＣＨ：制御チャネル
ＣＣＴｒＣＨ（Coded Composite Transport Channel）：コード化複合トランスポートチャネル
ＣＰ：サイクリックプレフィックス
ＣＲＣ（Cyclic Redundancy Check）：周期的冗長検査
ＣＴＣＨ：共通トラフィックチャネル
ＤＣＣＨ：専用制御チャネル
ＤＣＨ：専用チャネル
ＤＬ：ダウンリンク
ＤＬ−ＳＣＨ：ダウンリンク共有チャネル
ＤＭ−ＲＳ（DeModulation-Reference Signal）：復調基準信号
ＤＳＣＨ：ダウンリンク共有チャネル
ＤＴＣＨ：専用トラフィックチャネル
ＦＡＣＨ：順方向リンクアクセスチャネル
ＦＤＤ：周波数分割複信
Ｌ１：レイヤ１（物理レイヤ）
Ｌ２：レイヤ２（データリンクレイヤ）
Ｌ３：レイヤ３（ネットワークレイヤ）
ＬＩ：長さインジケータ
ＬＳＢ（Least Significant Bit）：最下位ビット
ＭＡＣ：媒体アクセス制御
ＭＢＭＳ：マルチメディア・ブロードキャスト・マルチキャストサービス
ＭＣＣＨ：ＭＢＭＳポイント・ツー・ポイント制御チャネル
ＭＲＷ（Move Receiving Window）：動き受信ウィンドウ
ＭＳＢ（Most Significant Bit）：最上位ビット
ＭＳＣＨ：ＭＢＭＳポイント・ツー・マルチポイント・スケジューリングチャネル
ＭＴＣＨ：ＭＢＭＳポイント・ツー・マルチポイント・トラフィックチャネル
ＰＣＣＨ：ページング制御チャネル
ＰＣＨ：ページングチャネル
ＰＤＵ：プロトコルデータユニット
ＰＨＹ：物理レイヤ
ＰｈｙＣＨ：物理チャネル
ＲＡＣＨ：ランダムアクセスチャネル
ＲＢ：リソースブロック
ＲＬＣ：無線リンク制御
ＲＲＣ：無線リソース制御
ＳＡＰ：サービスアクセスポイント
ＳＤＵ：サービスデータユニット
ＳＨＣＣＨ：共有チャネル制御チャネル
ＳＮ：シーケンス番号
ＳＵＦＩ：スーパーフィールド
ＴＣＨ：トラフィックチャネル
ＴＤＤ：時間分割複信
ＴＦＩ：トランスポートフォーマットインジケータ
ＴＭ（Transparent Mode）：透過モード
ＴＭＤ：透過モードデータ
ＴＴＩ：送信時間インターバル
Ｕ−：ユーザ−
ＵＥ：ユーザ機器
ＵＬ：アップリンク
ＵＭ（Unacknowledged Mode）：未確認モード
ＵＭＤ：未確認モードデータ
ＵＭＴＳ：ユニバーサル移動通信システム
ＵＴＲＡ：ＵＭＴＳ地上無線アクセス
ＵＴＲＡＮ：ＵＭＴＳ地上無線アクセスネットワーク
ＭＢＳＦＮ：マルチメディアブロードキャスト単一周波数ネットワーク
ＭＣＥ：ＭＢＭＳ協調エンティティ
ＭＣＨ：マルチキャストチャネル
ＭＳＣＨ：ＭＢＭＳ制御チャネル      
ＰＤＣＣＨ：物理ダウンリンク制御チャネル
ＰＤＳＣＨ：物理ダウンリンク共有チャネル
ＰＲＢ：物理リソースブロック
ＶＲＢ：仮想リソースブロック
加えて、Ｒｅｌ−１２は、ＬＴＥ規格のリリース１２を指す。
【００３６】
[0048]  図３は、ＬＴＥにおけるＦＤＤについての例示的なフレーム構造３００を示す。ダウンリンク送信およびアップリンク送信の各々についての送信タイムラインは、無線フレームの単位に分割され得る。各無線フレームは、所定の持続時間（例えば、１０ミリ秒（ｍｓ））を有し得、０〜９のインデクスを有する１０個のサブフレームに分割され得る。各サブフレームは２つのスロットを含み得る。このように、各無線フレームは、０〜１９のインデックスを有する２０個のスロットを含み得る。各スロットは、Ｌ個のシンボル期間、例えば、通常のサイクリックプレフィックス（図３に示されるような）の場合には７個のシンボル期間を、または拡張サイクリックプレフィックスの場合には６個のシンボル期間を含み得る。各サブフレーム内の２Ｌ個のシンボル期間は、０〜２Ｌ−１のインデックスが割り当てられ得、図３では、Ｌは７である。
【００３７】
[0049]  ＬＴＥでは、ｅＮＢは、ｅＮＢによってサポートされるセルごとに、システム帯域幅の中心１．０８ＭＨｚにおいてダウンリンク上でプライマリ同期信号（ＰＳＳ）およびセカンダリ同期信号（ＳＳＳ）を送信し得る。ＰＳＳおよびＳＳＳは、図３に示されるように、通常のサイクリックプレフィクスを有する各無線フレームのサブフレーム０および５におけるシンボル期間６および５でそれぞれ送信され得る。ＰＳＳおよびＳＳＳは、セル探索および捕捉のためにＵＥによって使用され得る。ｅＮＢは、ｅＮＢによってサポートされるセルごとに、システム帯域幅にわたってセル固有基準信号（ＣＲＳ）を送信し得る。ＣＲＳは、各サブフレームのある特定のシンボル期間で送信され得、チャネル推定、チャネル品質測定、および／または他の機能を行うためにＵＥによって使用され得る。ｅＮＢも、ある特定の無線フレームのスロット１内のシンボル期間０〜３で物理ブロードキャストチャネル（ＰＢＣＨ）を送信し得る。ＰＢＣＨは、何らかのシステム情報を搬送し得る。ｅＮＢは、ある特定のサブフレームにおいて物理ダウンリンク共有チャネル（ＰＤＳＣＨ）上でシステム情報ブロック（ＳＩＢ）のような他のシステム情報を送信し得る。ｅＮＢは、サブフレームの最初のＢ個のシンボル期間に物理ダウンリンク制御チャネル（ＰＤＣＣＨ）上で制御情報／データを送信し得、ここで、Ｂは、サブフレームごとに設定可能であり得る。ｅＮＢは、各サブフレームの残りのシンボル期間にＰＤＳＣＨ上でトラフィックデータおよび／または他のデータを送信し得る。
【００３８】
[0050]  図４は、通常のサイクリックプレフィックスを有する、ダウンリンクのための２つの例となるサブフレームフォーマット４１０および４２０を示す。ダウンリンクのための利用可能な時間周波数リソースは、複数のリソースブロックに分割され得る。各リソースブロックは、１つのスロットで１２個のサブキャリアをカバーし得、多数のリソース要素を含み得る。各リソース要素は、１つのシンボル期間に１つのサブキャリアをカバーし得、実数値または複素数値であり得る１つの変調シンボルを送るために使用され得る。
【００３９】
[0051]  サブフレームフォーマット４１０は、２つのアンテナが備わったｅＮＢに使用され得る。ＣＲＳは、シンボル期間０、４、７、および１１において、アンテナ０および１から送信され得る。基準信号は、送信機および受信機によってアプリオリ（a priori）に知られている信号であり、パイロットとも呼ばれ得る。ＣＲＳは、例えば、セル識別（a cell identity）（ＩＤ）に基づいて生成された、セルに固有の基準信号である。図４では、ラベルＲａを有する所与のリソース要素について、変調シンボルは、アンテナａからそのリソース要素上で送信され得、そのリソース要素上ではその他のアンテナからはいずれの変調シンボルも送信されない。サブフレームフォーマット４２０は、４つのアンテナが備わったｅＮＢに使用され得る。ＣＲＳは、シンボル期間０、４、７、および１１ではアンテナ０および１から、シンボル期間１および８ではアンテナ２および３から送信され得る。サブフレームフォーマット４１０および４２０の両方について、ＣＲＳは、セルＩＤに基づいて決定され得る、均等に間隔が空けられたサブキャリア上で送信され得る。異なるｅＮＢは、それらのＣＲＳを、それらのセルＩＤに依存して、同じまたは異なるサブキャリア上で送信し得る。サブフレームフォーマット４１０および４２０の両方について、ＣＲＳに対して使用されないリソース要素は、データ（例えば、トラフィックデータ、制御データ、および／または他のデータ）を送信するために使用され得る。
【００４０】
[0052]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ ３６．２１１に説明されており、これは公に入手可能である。
【００４１】
[0053]  インタレース構造は、ＬＴＥにおけるＦＤＤのためのダウンリンクおよびアップリンクの各々に対して使用され得る。例えば、０〜Ｑ−１のインデックスを有するＱ個のインタレースが定義され得、ここで、Ｑは、４、６、８、１０、または何らかの他の値に等しいだろう。各インタレースは、Ｑ個のフレームぶん離間した（spaced apart by Q frames）サブフレームを含み得る。具体的には、インタレースｑは、サブフレームｑ、ｑ＋Ｑ、ｑ＋２Ｑ、等を含み得、ここにおいて、ｑ∈｛０，…，Ｑ−１｝である。
【００４２】
[0054]  ワイヤレスネットワークは、ダウンリンクおよびアップリンク上でのデータ送信に関するハイブリッド自動再送（ＨＡＲＱ）をサポートし得る。ＨＡＲＱについて、送信機（例えば、ｅＮＢ）は、パケットが受信機（例えば、ＵＥ）によって正確に復号されるかまたは何らかの他の終了条件に遭遇するまで、パケットの１つまたは複数の送信を送り得る。同期ＨＡＲＱの場合、パケットのすべての送信は、単一のインタレースのサブフレームで送られ得る。非同期ＨＡＲＱの場合、パケットの各送信は、任意のサブフレームで送られ得る。
【００４３】
[0055]  １つのＵＥは、複数のｅＮＢのカバレッジエリア内に位置し得る。これらｅＮＢのうちの１つが、ＵＥにサービス提供するために選択され得る。サービングｅＮＢは、受信信号強度、受信信号品質、経路損失、等の様々な基準に基づいて選択され得る。受信信号品質は、信号対雑音および干渉比（ＳＩＮＲ）、または基準信号受信品質（ＲＳＲＱ）、あるいは何らかの他のメトリック（metric）によって定量化され（quantified）得る。ＵＥは、干渉を引き起こす１つまたは複数のｅＮＢからの高い干渉をＵＥが観測し得る支配的な干渉シナリオ（a dominant interference scenario）で動作し得る。
【００４４】
例となるＥＩＭＴＡ
[0056]  本開示の態様は、エンハンスド干渉管理およびトラフィック適応（ｅＩＭＴＡ）システムで利用され得、ここでは、アップリンク−ダウンリンク（ＵＬ−ＤＬ）サブフレーム構成が、動的に切り替えられ得る（例えば、変化するＵＬ／ＤＬ負荷に基づいて）。
【００４５】
[0057]  ＬＴＥでは、周波数分割複信（ＦＤＤ）および時分割複信（ＴＤＤ）の両方のフレーム構造がサポートされる。ＴＤＤの場合、図５のテーブル５００で例示されるように、７つの可能なＤＬおよびＵＬサブフレーム構成が、ＬＴＥにおいてサポートされる。例示されるように、５ｍｓおよび１０ｍｓという２つの切替え周期性（switching periodicities）が存在する。５ｍｓの切替え周期性を有するサブフレーム構成の場合、図５の図５５０で示されるように、１つ（１０ｍｓ）のフレームに２つのスペシャルサブフレームが存在する。１０ｍｓの切替え周期性を有するサブフレーム構成の場合、各フレームに１つのスペシャルサブフレームが存在する。
【００４６】
[0058]  上述したように、ｅＩＭＴＡ（ＬＴＥ Ｒｅｌ−１２で提供されていような）を利用することで、実際のトラフィックニーズに基づいてＴＤＤ ＤＬ／ＵＬサブフレーム構成を動的に適応することが可能である。例えば、短い持続時間中に、ダウンリンク上で大きなデータバーストが必要な場合、サブフレーム構成は、より多くのＤＬサブフレームを有するものに、例えば、ｃｏｎｆｉｇ＃１（６ＤＬ：４ＵＬ）からｃｏｎｆｉ＃５（９ＤＬ：１ＵＬ）に変更され得る。
【００４７】
[0059]  ＴＤＤ構成の適応は、６４０ｍｓよりも遅くないものであることが期待される。極端なケースでは、この適応は、望まれるわけではないが、１０ｍｓと同程度の速さで有り得る。任意のケースでは、この適応は、２つ以上のセルが異なるダウンリンクおよびアップリンクサブフレームを有するとき、ダウンリンクおよびアップリンクの両方に極度の干渉（overwhelming interference）を引き起こし得る。
【００４８】
[0060]  この適応はまた、ＤＬとＵＬのＨＡＲＱタイミング管理において、いくらかの複雑性を引き起こし得る。従来、７つのＤＬ／ＵＬサブフレーム構成の各々は、（ＨＡＲＱ動作効率の観点から）構成ごとに最適化されたそれ自体のＤＬ／ＵＬ ＨＲＱタイミングを有する。例えば、ＰＤＳＣＨから対応するＡＣＫ／ＮＡＫへのタイミングは、ＴＤＤ ＤＬ／ＵＬサブフレーム構成によって異なり得る（例えば、次の利用可能なＵＬサブフレームがいつ生じるかに依存して）。
【００４９】
[0061]  ７つの（または、よりフレキシブルな適応が必要とみなされる場合にはさらに多くの）構成の間での動的な切替えは、現在のＤＬ／ＵＬ ＨＡＲＱタイミングが維持される場合、ＤＬまたはＵＬ送信のうちのいくつかについて欠落した（missed）ＡＣＫ／ＮＡＫ送信機会が存在し得ることを意味する。
【００５０】
[0062]  ｅＩＭＴＡについての動作を簡潔にするために、１つまたは複数のＤＬ／ＵＬ構成を、多くの物理レイヤ動作に対する基準として定義することが可能である。例として、ＤＬ ＨＡＲＱ動作は、特定のフレーム（または、フレームの半分）で使用中の実際のＤＬ／ＵＬサブフレーム構成に関係なく、基準の構成としてのＤＬ／ＵＬサブフレーム構成＃５に基づき得る。
【００５１】
[0063]  換言すると、動的なＤＬ／ＵＬサブフレーム構成が使用可能（enabled）である場合、ＤＬ ＨＡＲＱタイミングは、常に、（基準としての構成＃５の）９：１のＤＬ／ＵＬサブフレーム構成に基づくことができる。同時に、ＵＬ ＨＡＲＱ動作は、あるフレーム（または、フレームの半分）で使用中の実際のＤＬ／ＵＬサブフレーム構成に関係なく、ＤＬ／ＵＬサブフレーム構成＃０に基づき得る。すなわち、動的なＤＬ／ＵＬサブフレーム構成が使用可能である場合、ＵＬ ＨＡＲＱタイミングは、常に、（構成＃０の）４：６のＤＬ／ＵＬサブフレーム構成に基づくことができる。これは図６に例示されており、それは、構成＃５に基づいたＤＬ ＨＡＲＱタイミングについての基準の構成を上部に破線で示し、構成＃０に基づいたＵＬ ＨＡＲＱタイミングは、下部に破線で示される。図６に示されるように、サブフレームの実際の使用は、ｅＮＢスケジューリングの影響を受け（be subject to）得る。例えば、サブフレーム３／４／５／７／８／９は、ＤＬまたはＵＬサブフレームの何れかであるが、サブフレーム６は、ＤＬまたはスペシャルサブフレームの何れかであり得る。
【００５２】
[0064]  いくつかのケースでは、ＰＵＣＣＨリソース割振りは、暗黙的に決定され得る。例えば、ＰＵＣＣＨフォーマット１ａ／１ｂ／チャネル選択を有する１ｂの場合、ＰＵＣＣＨリソースは、ＰＤＣＣＨ／ＥＰＤＣＣＨの第１の制御チャネル要素（ＣＣＥ）／エンハンスド制御チャネル要素（ＥＣＣＥ）インデックスによって暗黙的に決定され得る。例えば、複数のＤＬサブフレームのＨＡＲＱ−ＡＣＫが単一のＵＬサブフレームでフィードバックされるとき、ブロックインターリーブ方式のマッピング（block interleaved mapping）も使用され得る。ダウンリンクアソシエートセットは、ＴＤＤ ＵＬ−ＤＬ構成に依存し得る。単一のＤＬサブフレームに関連付けられたＰＵＣＣＨリソースは、次のように決定され得る：
【数１】
2016530817.tif 000003
【００５３】
複数のＤＬサブフレームに関連付けられたＰＵＣＣＨリソースは、次のように決定され得る：
【数２】
2016530817.tif 000004
【００５４】
図７は、例となるＤＬアソシエーションセットを例示する。単一のおよびバンドルされたサブフレームに対する異なるリソース割振りは図８に例示される。
【００５５】
[0065]  サブフレーム構成を動的に切り替えるシステムでは、基準の構成ベースのＤＬ ＨＡＲＱが使用されるケースであっても、様々な課題が生じ得る。例えば、ＰＵＣＣＨリソース割振りが基準の構成に基づく場合、過度のＰＵＣＣＨ領域がリザーブされ得る。例えば、構成＃５が基準として使用される場合、ＰＵＣＣＨリソース領域は、トータルで９個のＤＬサブフレームに対してリザーブされる必要があり得る。
【００５６】
[0066]  別の課題は、コードブックサイズがまた基準の構成によって決定される場合、ＨＡＲＱ−ＡＣＫコードブックサイズもまた、ｅＩＭＴＡ ＵＥ（例えば、動的なサブフレーム構成切替えをサポートするＵＥ）にとって大きくなり過ぎることである。３つのタイプのＡＣＫ／ＮＡＣＫ送信（例えば、バンドリング、チャネル選択を有するＰＵＣＣＨフォーマット１ｂでの多重化、およびＰＵＣＣＨフォーマット３）について、コードブックサイズは、３つの異なる技法（例えば、それぞれ、バンドリングサイズ（時間ドメイン）、ＡＣＫ／ＮＡＣＫマッピングテーブル、およびフォーマット３のペイロードサイズ）によって決定され得る。
【００５７】
[0067]  別の課題は、基準の構成が、レガシＵＥ（例えば、動的なサブフレーム構成切替えをサポートしないＵＥ）が従うＳＩＢ１ ＵＬ−ＤＬ構成とは異なる場合、ｅＩＭＴＡ ＵＥが確保した（taken）ＰＵＣＣＨリソースがレガシＵＥのものと衝突し得ることである。
【００５８】
[0068]  図９Ａは、同じ第１のＣＣＥインデックスが異なるサブフレームに存在し、結果として衝突を引き起こす第１のケース（ケース１）を例示する。この例は、ＳＩＢ１ ＵＬ−ＤＬ構成＃０で動作するレガシＵＥ、基準の構成＃２がｅＩＭＴＡ ＵＥに使用されること、およびレガシＵＥのためのＤＬ ＳＦ６におけるＰＤＣＣＨと、ｅＩＭＴＡ ＵＥのためのＤＬ ＳＦ４におけるＰＤＣＣＨとが同一のＰＵＣＣＨリソースにマッピング可能であること、を想定する。
【００５９】
[0069]  図９Ｂは、異なるサブフレーム内の異なる第１のＣＣＥインデックスが衝突に帰着する第２のケース（ケース２）を例示する。この例は、ＳＩＢ−１ ＵＬ−ＤＬ構成が＃６であり、＃１が基準の構成として使用されることを想定する。レガシＵＥのためのＤＬ ＳＦ５およびｅＩＭＴＡ ＵＥのためのＤＬ ＳＦ６に対する暗黙的なＰＵＣＣＨリソース割振りは、異なるサイズのバンドリングセットに起因して、依然として衝突し得る。
【００６０】
例となるハイブリッドの基準および動的な構成
[0070]  本開示の態様は、基準の構成および動的な構成の両方に基づいた「ハイブリッド」設計を提供する。例えば、ＰＤＳＣＨ ＨＡＲＱ−ＡＣＫフィードバックの場合、ＨＡＲＱタイミングは、基準の構成に基づき得る（例えば、ＰＤＳＣＨ ＨＡＲＱ−ＡＣＫを送信するためのサブフレームが、基準の構成から決定され得る）。しかしながら、ＨＡＲＱ−ＡＣＫコードブックサイズおよびＰＵＣＣＨリソース割振りは、動的なＴＤＤ ＵＬ−ＤＬ構成によって決定され得る（例えば、再構成の動的なＬ１シグナリングに基づいて）。このハイブリッドアプローチの利点には、より効率的なＨＡＲＱ−ＡＣＫフィードバックと、低いＰＵＣＣＨリソースオーバーヘッドとが含まれ得る。いくつかのケースでは、例えば、欠落した（missing）動的な再構成シグナリングまたは復号試みの失敗のケースにおいて、フォールバック解決策をサポートすることは容易であり得る。そのようなケースでは、ＳＩＢ１ ＵＬ−ＤＬ構成が、ＨＡＲＱ−ＡＣＫコードブックサイズおよびＰＵＣＣＨリソース割振りを決定するために使用され得る。
【００６１】
[0071]  いくつかのケースでは、コードブックサイズまたはＡＣＫ／ＮＡＣＫビットの数は、動的なＵＬ−ＤＬ構成およびＤＬ送信モード、ならびにキャリアアグリゲーションのケースではキャリアの数、から決定されるようなＤＬアソシエーションセットサイズＭの実際のサイズに基づいて決定され得る。これは、ＡＣＫ／ＮＡＫバンドリングベースのＰＵＣＣＨ送信の場合、時間ドメインバンドリングがより少ないことを意味し得る。チャネル選択を有するＰＵＣＣＨフォーマット１ｂ上でのＡＣＫ／ＮＡＫ多重化の場合、これは、より小さいサイズのマッピングテーブルが使用され得ることを意味し得る。ＡＣＫ／ＮＡＫ  ＰＵＣＣＨフォーマット３の場合、これは、低減されたペイロードサイズと、二重ＲＭコーディング（dual RM coding）（単一のＲＭよりも効率が低い）を使用すること、および、空間バンドリング（ＡＣＫ／ＮＡＫペイロードサイズが＞２０のときに起こり得る）を引き起こすことのより低い可能性とを伴い得る。
【００６２】
[0072]  ある特定の態様によれば、ＰＵＣＣＨリソースマッピングは、動的なサブフレーム構成に基づいて決定され得る。例えば、ｅＩＭＴＡ ＵＥは、動的に示されたＵＬ−ＤＬ構成のＤＬアソシエーションセットＭのサイズに基づいてＰＵＣＣＨリソース割振りを決定し得る。もっと正確には、動的な再構成シグナリングによってＤＬサブフレームとして構成されないバンドリングセット内のフレキシブルなサブフレームはカウントされず、残りのＤＬサブフレームが、アソシエーションセットサイズＭを決定するために使用され得る。バンドリングセット内の残りのＤＬサブフレームのパッキング順序（packing order）は、ＵＬサブフレームを除去することで変更され得る。
【００６３】
[0073]  例として、ＤＬ ＨＡＲＱタイミングに基準の構成＃４が使用される場合、ＤＬサブフレーム４、５、８、および６のＨＡＲＱ−ＡＣＫは、アップリンクＳＦ２へとマッピングされる。動的な構成が＃３である場合、ＳＦ４はＵＬサブフレームであり、そして暗黙的なＰＵＣＣＨリソースは、サブフレーム５、８、６に対してのみリザーブされ得、これは、｛２，３，４｝の代わりに更新されたパッキング順序｛０，１，２｝を有し得る。加えて、残りのＤＬサブフレームのパッキング順序はまた、例えば、固定のＤＬサブフレームが、常に、最初にマッピングされるように、並べ替えられ得る。この並べ替えは、レガシＵＥとｅＩＭＴＡＵＥとの間でＰＵＣＣＨリソースを共有するために適用され得る。図１０は、異なる基準の構成および候補のＵＬ−ＤＬ構成に対するＤＬサブフレームバンドリングセットの例を例示する。そのような動的なＤＬアソシエーションセットベースのＰＵＣＣＨリソースマッピングは、ＰＵＣＣＨリソース利用を大幅に改善し得る。
【００６４】
[0074]  いくつかのケースでは、衝突を回避するために、別個のＰＵＣＣＨリソース領域がｅＩＭＴＡおよびレガシＵＥに対して構成され得、この構成
【数３】
2016530817.tif 000005
【００６５】
は、上位レイヤシグナリングを介し得る。しかしながら、ｅＩＭＴＡ ＵＥが、レガシＵＥ ＰＵＣＣＨ領域との衝突を検出しない場合、レガシＵＥによって使用されるデフォルトの
【数４】
2016530817.tif 000006
【００６６】
もまた、ｅＩＭＴＡ ＵＥによって使用され得る。例えば、レガシＵＥによって使用される実際のサブフレーム構成および動的なサブフレーム構成に基づいて、ｅＩＭＴＡ ＵＥは、ＵＬサブフレームでは、レガシおよび動的に示された構成のためのこのＵＬサブフレームに関連付けられたＤＬアソシエーションセットが同一である場合、ＵＥが第１のオフセットを使用し得る、ということを決定し得る（例えば、レガシＵＥと同じ）。そうでない場合、ｅＩＭＴＡは、第２のオフセットを使用し得る。上述したように、欠落した動的な再構成シグナリング（または、失敗した復号試み）のケースでは、第１のオフセットは、フォールバックとして使用され得る。
【００６７】
[0075]  いくつかのケースでは、
【数５】
2016530817.tif 000007
【００６８】
の動的な選択はまた、明示的なシグナリングを介してｅＮＢによって示され得る。例えば、ｅＮＢは、バンドリングセットのうちの共通のＤＬサブフレームで送信される、ＤＣＩフォーマット（例えば、１Ａ／１Ｂ／１Ｄ／１／２Ａ／２／２Ｂ／２Ｃ／２Ｄ）中の伝送電力制御（ＴＰＣ）コマンドビットを再利用し得る。そのようなケースでは、ｅＩＭＴＡ ＵＥのためのＰＵＣＣＨ電力制御は、バンドリングセット内の他のＤＬサブフレームにおいて、または、グループ電力制御を介して（例えば、ＤＣＩフォーマット３／３Ａを使用して）示されるＴＰＣコマンドに基づき得る。別のオプションとして、共通のＤＬサブフレーム内のＴＰＣコマンドは、ＨＡＲＱ−ＡＣＫリソースオフセット（ＡＲＯ）として使用され得る。そのようなＡＲＯ値は、サブフレーム依存型であり得る。例えば、Ｍ個のサブフレームのセット内のサブフレームのロケーションに依存して、ＡＲＯ値は異なり得る。ＴＰＣコマンドの使用（上述された手法での）は、ｅＩＭＴＡ ＵＥ単位での上位レイヤシグナリングによって構成され得る。
【００６９】
[0076]  サブフレーム依存型ＡＲＯ値の例は、ＣＣＥインデックス付け（CCE indexing）がブロックベースであるため、かつ、Ｍの値に依存するため、レガシＵＥと新しいＵＥとの間の差分もまたサブフレーム依存型であり得るというアイデアに基づき得る。例として、レガシＵＥが、Ｍ＝２とみなすと想定する、ここでは、各サブフレームに、各々が１０個のＣＣＥを有する２つの制御シンボルがあり、ＣＣＥインデックス付けは以下の通りであり得る：  
第１のサブフレーム，第１のシンボル：０−９
第２のサブフレーム，第１のシンボル：１０−１９
第１のサブフレーム，第２のシンボル：２０−２９
第２のサブフレーム，第２のシンボル：３０−３９
新しいＵＥは、Ｍ＝３とみなし得る、ここでは、依然としてサブフレーム当たりに２つの制御シンボル、サブフレーム当たりに１０個のＣＣＥである。ＣＣＥインデックス付けは、以下の通りあり得る：  
第１のサブフレーム，第１のシンボル：０−９
第２のサブフレーム，第１のシンボル：１０−１９
第３のサブフレーム，第１のシンボル：２０−２９
第１のサブフレーム，第２のシンボル：３０−３９
第２のサブフレーム，第２のシンボル：４０−４９
第３のサブフレーム，第２のシンボル：５０−５９
結果として、新しいＵＥの場合、第１のサブフレームについては、ＡＲＯ値は、０または−１０のいずれかであり得、第２のサブフレームについては、ＡＲＯ値は、０および−１０であり得、第３のサブフレームについては、これは、＋２０および０であり得る。レガシに対するセットＭ１内の、および新しいＵＥに対するセットＭ２内のサブフレームの順序が異なり得ることにも留意されたい。そのケースでは、ＡＲＯ値は、それを考慮に入れるように設計され得る。
【００７０】
[0077]  ＰＤＣＨモニタリングサブフレームについて上述されたリソースマッピング技法はまた、エンハンスドＰＤＣＣＨ（ＥＰＤＣＣＨ）にも適用され得る。加えて、ＥＰＤＣＣＨサブフレームでは、ＰＵＣＣＨリソースは、衝突回避のために、ＡＲＯフィールドによってさらに調整され得る。いくつかのケースでは、ＡＲＯリソース圧縮の何らかの形式が、ＰＵＣＣＨオーバヘッドを低減させるために使用され得る。例えば、ＡＲＯフィールドは、ＰＵＣＣＨリソース開始オフセット
【数６】
2016530817.tif 000008
【００７１】
を動的に示すために使用され得る。
【００７２】
[0078]  図１１は、本開示の態様に係る、ユーザ機器（ＵＥ）によって行われ得るワイヤレス通信のための例となる動作１１００を例示する。動作１１００は、例えば、動的なサブフレーム構成をサポートすることができるｅＩＭＴＡ ＵＥによって行われ得る。
【００７３】
[0079]  動作１１００は、１１０２において、動的なアップリンク−ダウンリンク（ＵＬ−ＤＬ）サブフレーム構成を示すシグナリングを受信することで開始する。１１０４において、ＵＥは、基準のＵＬ−ＤＬサブフレーム構成に基づいて、ハイブリッド自動再送要求（ＨＡＲＱ）肯定応答／否定応答（ＡＣＫ／ＮＡＣＫ）タイミングを決定し得る。１１０６において、ＵＥは、動的なＵＬ−ＤＬサブフレーム構成に基づいて、ＨＡＲＱリソース割振りを決定し得る。
【００７４】
[0080]  図１２は、本開示の態様に係る、基地局（ＢＳ）によって行われ得るワイヤレス通信のための例となる動作１２００を例示する。
【００７５】
[0081]  動作１２００は、１２０２において、動的なアップリンク−ダウンリンク（ＵＬ−ＤＬ）サブフレーム構成を示すシグナリングをユーザ機器（ＵＥ）に送信することで開始する。１２０４において、ＢＳは、基準のＵＬ−ＤＬサブフレーム構成に基づいて、ＵＥに対するハイブリッド自動再送要求（ＨＡＲＱ）肯定応答／否定応答（ＡＣＫ／ＮＡＣＫ）タイミングを決定し得る。１２０６において、ＢＳは、動的なＵＬ−ＤＬサブフレーム構成に基づいて、ＵＥに対するＨＡＲＱリソース割振りを決定し得る。
【００７６】
[0082]  上述したように、動的なＵＬ−ＤＬサブフレーム構成を示すシグナリングは、Ｌ１シグナリングを備え得る。
【００７７】
[0083]  いくつかのケースでは、基準のＵＬ−ＤＬサブフレーム構成に基づいて、ＨＡＲＱ ＡＣＫ／ＮＡＣＫタイミングを決定することは、基準のＵＬ−ＤＬサブフレームに基づいて、ＨＡＲＱ ＡＣＫ／ＮＡＣＫを送信するためのサブフレームを決定することを含み得る。
【００７８】
[0084]  いくつかのケースでは、動的なＵＬ−ＤＬサブフレーム構成に基づいてＨＡＲＱリソース割振りを決定することは、動的なＵＬ−ＤＬサブフレーム構成に基づいてＨＡＲＱ−ＡＣＫコードブックサイズを決定することを含み得る。いくつかのケースでは、コードブックサイズ、またはＡＣＫ／ＮＡＣＫビットの数、のうちの少なくとも１つは、動的なＵＬ−ＤＬ構成のＤＬアソシエーションセットのサイズに基づいて決定され得る。例えば、ＤＬアソシエーションセットのサイズは、ＤＬ送信モード、またはキャリアアグリゲーションが利用される場合にはキャリア数、のうちの少なくとも１つから決定され得る。
【００７９】
[0085]  いくつかのケースでは、動的なＵＬ−ＤＬサブフレーム構成に基づいてＨＡＲＱリソース割振りを決定することは、動的なＵＬ−ＤＬサブフレーム構成に基づいて物理アップリンク制御チャネル（ＰＵＣＣＨ）リソース割振りを決定することを含み得る。例えば、物理アップリンク制御チャネル（ＰＵＣＣＨ）リソース割振りは、動的なＵＬ−ＤＬ構成のＤＬアソシエーションセットのサイズに基づいて決定され得る。例えば、動的なＵＬ−ＤＬ構成においてＤＬとして構成されていないバンドリングセット内のフレキシブルなサブフレームは、ＤＬアソシエーションセットのサイズを決定する際にカウントされないだろう。バンドリングセット内の残りのＤＬサブフレームのパッキング順序は、ＵＬサブフレームを除去することで決定され得る。いくつかのケースでは、固定のＤＬサブフレームが、残りのＤＬサブフレームのパッキング順序で最初にマッピングされ得る。
【００８０】
[0086]  いくつかのケースでは、別個のＰＵＣＣＨ領域が、動的なＵＬ−ＤＬ構成をサポートすることができるＵＥと、動的なＵＬ−ＤＬ構成をサポートすることができないレガシＵＥと、に対して構成され得る。いくつかのケースでは、レガシＵＥ ＰＵＣＣＨ領域との潜在的な衝突（potential collision）があるかどうかの決定が行われ得る。ｅＩＭＴＡ ＵＥは、潜在的な衝突が検出されない場合、レガシＰＵＣＣＨ領域を使用するように構成され得る。ｅＩＭＴＡ ＵＥは、潜在的な衝突が検出されない場合には第１のオフセット値を、潜在的な衝突が検出される場合には第２のオフセット値を選択するように構成され得る。
【００８１】
[0087]  いくつかのケースでは、ＰＵＣＣＨリソース割振りは、動的なシグナリングに少なくとも部分的に基づいて決定される。動的なシグナリングは、伝送電力制御（ＴＰＣ）コマンドに使用されるダウンリンク制御情報（ＤＣＩ）フォーマット中の１つまたは複数のビットを介して伝達され得る。いくつかのケースでは、動的なシグナリングは、１つまたは複数のＨＡＲＱ確認応答リソースオフセット（HARQ acknowledgement resource offset）（ＡＲＯ）ビットを介して伝達される。
【００８２】
[0088]  上述したように、フォールバック動作がサポートされ得る。例えば、欠落した動的なＵＬ−ＤＬサブフレーム構成を検出して、および、この検出に応答して、システム情報ブロック（ＳＩＢ）においてシグナリングされるＵＬ−ＤＬサブフレーム構成に基づいてＨＡＲＱリソース割振りを決定することによって。
【００８３】
[0089]  上述した方法の様々な動作は、ハードウェアおよび／またはソフトウェア構成要素（１つまたは複数）、および／またはモジュール（１つまたは複数）の任意の適切な組み合わせによって行われ得る。
【００８４】
[0090]  開示されたプロセスにおけるステップの特定の順序または階層が例示的なアプローチの一例であることが理解される。設計の選好に基づいて、プロセスにおけるステップの特定の順序または階層が本開示の範囲内でありながら再配列され得ることは理解される。添付の方法の請求項は、様々なステップの要素を１つのサンプルの順序で示し、それらが提示された特定の順序または階層に限定されることは意味されない。
【００８５】
[0091]  当業者は、多種多様な技術および技法のいずれかを使用して情報および信号が表され得ることを理解するであろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【００８６】
[0092]  当業者は、本明細書に開示された実施形態に関連して説明された実例となる様々な論理ブロック、モジュール、回路、およびアルゴリズムステップが、電子ハードウェア、コンピュータソフトウェア、またはその両方の組み合わせとして実装され得ることをさらに認識するであろう。このハードウェアおよびソフトウェアの互換性を明確に例示するために、実例となる様々な構成要素、ブロック、モジュール、回路、およびステップは、概ねそれらの機能性の観点から上で説明されている。そのような機能性がハードウェアとして実装されるかソフトウェアとして実装されるかは、特定の用途とシステム全体に課される設計の制約とに依存する。当業者は、説明された機能性を特定の用途ごとに様々な方法で実装し得るが、このような実装の決定は本開示の範囲からの逸脱をさせるものと解釈されるべきでない。
【００８７】
[0093]  本明細書で開示された実施形態に関連して説明された実例となる様々な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書で説明された機能を行うように設計されたこれらの任意の組み合わせで、実装されるかまたは行われ得る。汎用プロセッサはマイクロプロセッサであり得るが、代替的に、プロセッサは任意の従来のプロセッサ、コントローラ、マイクロコントローラ、またはステートマシンであり得る。プロセッサはまた、コンピューティングデバイスの組み合わせ、例えば、ＤＳＰと１つのマイクロプロセッサの組み合わせ、複数のマイクロプロセッサ、ＤＳＰコアに連結した１つまたは複数のマイクロプロセッサ、あるいは任意の他のそのような構成として実装され得る。
【００８８】
[0094]  本明細書で開示された実施形態に関連して説明されたアルゴリズムまたは方法のステップは、直接ハードウェアで、プロセッサによって実行されるソフトウェアモジュールで、または両者の組み合わせで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形式の記憶媒体に存在し得る。例示的な記憶媒体は、プロセッサがこの記憶媒体から情報を読み取り、この記憶媒体に情報を書き込むことができるようにプロセッサに結合される。代替的に、記憶媒体は、プロセッサに一体化され得る。プロセッサおよび記憶媒体はＡＳＩＣ内に存在し得る。ＡＳＩＣはユーザ端末内に存在し得る。代替的に、プロセッサおよび記憶媒体は、ユーザ端末においてディスクリート構成要素として存在し得る。特許請求の範囲を含む、本明細書で使用される場合、「〜のうちの少なくとも１つ」で始まる複数の項目からなるリストで使用される「または」は、例えば「Ａ、Ｂ、またはＣのうちの少なくとも１つ」のリストが、Ａ、Ｂ、Ｃ、ＡとＢ、ＡとＣ、ＢとＣ、またはＡとＢとＣ（すなわち、Ａ、Ｂ、およびＣ）を意味するような、離接的な（disjunctive）リストを示す。
【００８９】
[0095]  開示された実施形態についての以上の説明は、当業者が本発明を製造または使用できるように提供されている。これらの実施形態に対する様々な変更は、当業者には容易に明らかであり、本明細書で定義された包括的な原理は、本発明の精神または範囲から逸脱することなく、他の実施形態に適用され得る。したがって、本開示は、本明細書で示された実施形態に限定されるようには意図されず、本明細書に開示される原理および新規な特徴と一致する最も広い範囲が与えられるべきである。
【図１】
2016530817.tif 000009
【図２】
2016530817.tif 000010
【図３】
2016530817.tif 000011
【図４】
2016530817.tif 000012
【図５】
2016530817.tif 000013
【図６】
2016530817.tif 000014
【図７】
2016530817.tif 000015
【図８】
2016530817.tif 000016
【図９Ａ】
2016530817.tif 000017
【図９Ｂ】
2016530817.tif 000018
【図１０】
2016530817.tif 000019
【図１１】
2016530817.tif 000020
【図１２】
2016530817.tif 000021
【国際調査報告】
2016530817.tif 000022
2016530817.tif 000023